(57)【特許請求の範囲】
【請求項１】
無線通信システムのアンテナマスト（２）を提供する方法であって、
前記アンテナマストは、前記無線通信システムのアンテナ装置の支持構造を形成するように構成されたマスト本体（４）を備え、
前記マスト本体が下部モジュール（６）及び上部モジュール（８）を備え、
前記上部モジュールが前記アンテナ装置を含むように構成され、
前記下部モジュール及び前記上部モジュールのうち少なくとも一方のモジュールが前記アンテナ装置を支持する機能以外の更なる機能に利用される装置を備えるように構成され、
前記更なる機能に利用される装置は、ベンチ、屋根構造、ゴミ箱、自動販売機、電子画面、駐車メータ、信号機、照明装置、カード読み取り装置、電源ソケット、除細動器などの人命救助装置、標識、又は、時計であり、
前記方法は、
少なくとも２つの異なる下部モジュール及び少なくとも２つの異なる上部モジュールを含むモジュールセットから、下部モジュール及び上部モジュールを選択する工程と（７０）と、
組み立てられたマスト本体を形成するために、前記選択された下部モジュール及び前記選択された上部モジュールを含む前記マスト本体を組み立てる工程（７２）とを備え、
前記モジュールセットは、前記下部モジュールの一つと前記上部モジュールの一つとの複数の組合せを含み、
前記更なる機能は前記組合せ毎に異なり、
前記上部モジュールの外面の少なくとも一部は電波を透過し、
前記アンテナ装置は前記上部モジュールの中に配置され、
前記下部モジュールは、アンテナマストの設置場所の地面に新規に設置される、
ことを特徴とする方法。
【請求項２】
無線通信システムのアンテナマスト（２）を提供する方法であって、
前記アンテナマストは、前記無線通信システムのアンテナ装置の支持構造を形成するように構成されたマスト本体（４）を備え、
前記マスト本体が下部モジュール（６）及び上部モジュール（８）を備え、
前記上部モジュールが前記アンテナ装置を含むように構成され、
前記下部モジュール及び前記上部モジュールのうち少なくとも一方のモジュールが前記アンテナ装置を支持する機能以外の更なる機能に利用される装置を備えるように構成され、
前記更なる機能とは、アンテナマストの設置場所において公衆によって利用可能な機能であり、
前記方法は、
少なくとも２つの異なる下部モジュール及び少なくとも２つの異なる上部モジュールを含むモジュールセットから、下部モジュール及び上部モジュールを選択する工程と（７０）と、
組み立てられたマスト本体を形成するために、前記選択された下部モジュール及び前記選択された上部モジュールを含む前記マスト本体を組み立てる工程（７２）とを備え、
前記モジュールセットは、前記下部モジュールの一つと前記上部モジュールの一つとの複数の組合せを含み、
前記更なる機能は前記組合せ毎に異なり、
前記上部モジュールの外面の少なくとも一部は電波を透過し、
前記アンテナ装置は前記上部モジュールの中に配置され、
前記下部モジュールは、前記設置場所の地面に新規に設置される、
ことを特徴とする方法。
【請求項３】
前記方法は、
前記組み立てられたマスト本体の外面の少なくとも一部を形成するために前記モジュールセットの前記下部モジュール及び前記上部モジュールを製造する工程（７６）を備えることを特徴とする請求項１又は２に記載の方法。
【請求項４】
前記方法は、
組み立てられたマスト本体の上部モジュール及び前記上部モジュールに配置される装置の重量を少なくとも支えるように構成された支持構造を形成するために下部モジュールを製造する工程（７８）を備えることを特徴とする請求項１から３のいずれか１項に記載の方法。
【請求項５】
前記方法は、
前記更なる機能に利用される装置を実質的に前記組み立てられたマスト本体の外面の内側に配置する工程（８０）を備えることを特徴とする請求項４記載の方法。
【請求項６】
前記方法は、
３〜８ｍの高さを有するアンテナマストを提供する工程（８２）を備えることを特徴とする請求項１から５のいずれか１項に記載の方法。
【請求項７】
前記方法は、
前記モジュールセットから選択されたモジュールに応じて、前記更なる機能に利用される特定の装置を前記組み立てられたマスト本体に配置する工程（８４）を備えることを特徴とする請求項１から６のいずれか１項に記載の方法。
【請求項８】
前記方法は、
少なくとも、前記無線通信システムの送信機及び／又は受信機と、プロセッサとを前記選択された下部モジュール及び／又は前記選択された上部モジュールの内側に配置する工程（８６）を備えることを特徴とする請求項１から７のいずれか１項に記載の方法。
【請求項９】
前記方法は、
前記更なる機能に利用される装置を、前記アンテナ装置の傍に、前記組み立てられたマスト本体の前記下部モジュールに接続して設ける工程（８８）を備えることを特徴とする請求項１から８のいずれか１項に記載の方法。
【請求項１０】
前記方法は、
前記更なる機能に利用される装置を選択する工程（９０）を備えることを特徴とする請求項１から９のいずれか１項に記載の方法。
【請求項１１】
前記方法は、
前記更なる機能に利用される装置を、前記アンテナ装置の傍に、前記組み立てられたマスト本体の前記上部モジュールに接続して設ける工程（９２）を備えることを特徴とする請求項１から１０のいずれか１項に記載の方法。
【請求項１２】
前記モジュールセットは、少なくとも２つの異なる下部モジュール及び少なくとも２つの異なる中央モジュール及び少なくとも２つの異なる上部モジュールを含み、且つ前記選択する工程（７０）は、
前記モジュールセットから１つの中央モジュールを選択する工程（９６）を含み、
前記組み立てる工程（７２）は、
前記組み立てられたマスト本体を形成するために、前記選択された中央モジュールを含む前記マスト本体を組み立てる工程（９８）を含むことを特徴とする請求項１から１１のいずれか１項に記載の方法。
【請求項１３】
前記マスト本体を組み立てる工程は、
前記中央モジュールを実質的に前記下部モジュールと前記上部モジュールとの間に配置する工程（１００）を含むことを特徴とする請求項１２に記載の方法。
【請求項１４】
前記方法は、
前記中央モジュールに接続され、前記更なる機能に利用される装置を設ける工程（１０２）を備えることを特徴とする請求項１２又は１３記載の方法。
【請求項１５】
前記モジュールセットのうち下部モジュールは、中央モジュール、上部モジュール並びに前記中央モジュール及び前記上部モジュールに配置される装置の重量を支えるように構成された支持構造を形成することを特徴とする請求項１２から１４のいずれか１項に記載の方法。
【請求項１６】
無線通信システムのアンテナマスト（２）を提供するモジュラーアンテナマストシステムであって、
前記アンテナマストシステムの前記アンテナマスト（２）は、前記無線通信システムのアンテナ装置の支持構造を形成するように構成されたマスト本体（４）をそれぞれ備え、
前記マスト本体（４）は下部モジュール（６）及び上部モジュール（８）を備え、
前記上部モジュール（８）は、前記アンテナ装置を含むように構成され、
前記下部モジュール（６）及び前記上部モジュール（８）のうち少なくとも一方のモジュールは、前記アンテナ装置を支持する機能以外の更なる機能に利用される装置を備えるように構成され、
前記更なる機能に利用される装置は、ベンチ、屋根構造、ゴミ箱、自動販売機、電子画面、駐車メータ、信号機、照明装置、カード読み取り装置、電源ソケット、除細動器などの人命救助装置、標識、又は、時計であり、
前記アンテナマストシステムは、下部モジュール及び上部モジュール（６、８）を含むモジュールセットを備え、
前記モジュールセットは、
下部モジュール及び上部モジュール（６、８）を備えたそれぞれ異なる構成のマスト本体（４）を、前記モジュールセットから組み立てることができるように、少なくとも２つの異なる下部モジュール（６）及び少なくとも２つの異なる上部モジュール（８）を含み、
前記モジュールセットは、前記下部モジュールの一つと前記上部モジュールの一つとの複数の組合せを含み、
前記更なる機能は前記組合せ毎に異なり、
前記上部モジュールの外面の少なくとも一部は電波を透過し、
前記アンテナ装置は前記上部モジュールの中に配置され、
前記下部モジュールは、アンテナマストの設置場所の地面に新規に設置される、
ことを特徴とするモジュラーアンテナマストシステム。
【請求項１７】
無線通信システムのアンテナマスト（２）を提供するモジュラーアンテナマストシステムであって、
前記アンテナマストシステムの前記アンテナマスト（２）は、前記無線通信システムのアンテナ装置の支持構造を形成するように構成されたマスト本体（４）をそれぞれ備え、
前記マスト本体（４）は下部モジュール（６）及び上部モジュール（８）を備え、
前記上部モジュール（８）は、前記アンテナ装置を含むように構成され、
前記下部モジュール（６）及び前記上部モジュール（８）のうち少なくとも一方のモジュールは、前記アンテナ装置を支持する機能以外の更なる機能に利用される装置を備えるように構成され、
前記更なる機能は、アンテナマストの設置場所において公衆によって利用可能な機能であり、
前記アンテナマストシステムは、下部モジュール及び上部モジュール（６、８）を含むモジュールセットを備え、
前記モジュールセットは、
下部モジュール及び上部モジュール（６、８）を備えたそれぞれ異なる構成のマスト本体（４）を、前記モジュールセットから組み立てることができるように、少なくとも２つの異なる下部モジュール（６）及び少なくとも２つの異なる上部モジュール（８）を含み、
前記モジュールセットは、前記下部モジュールの一つと前記上部モジュールの一つとの複数の組合せを含み、
前記更なる機能は前記組合せ毎に異なり、
前記上部モジュールの外面の少なくとも一部は電波を透過し、
前記アンテナ装置は前記上部モジュールの中に配置され、
前記下部モジュールは、前記設置場所の地面に新規に設置される、
ことを特徴とするモジュラーアンテナマストシステム。
【請求項１８】
下部モジュール（６）及び上部モジュール（８）は、前記アンテナマストシステムのアンテナマスト（２）の組み立てられたマスト本体（４）の外面の少なくとも一部を形成することを特徴とする請求項１６又は１７に記載のモジュラーアンテナマストシステム。
【請求項１９】
前記モジュールセットのうち下部モジュール（６）は、組み立てられたマスト本体（４）の上部モジュール（８）及び上部モジュール（８）に配置される装置の重量を少なくとも支持するように構成された支持構造を形成することを特徴とする請求項１６から１８のいずれか１項に記載のモジュラーアンテナマストシステム。
【請求項２０】
前記アンテナマストシステムのアンテナマスト（２）の組み立てられたマスト本体（４）は、前記更なる機能に利用される装置を実質的に前記組み立てられたマスト本体（４）の外面の内側に収納するように構成されることを特徴とする請求項１９記載のモジュラーアンテナマストシステム。
【請求項２１】
前記アンテナマストシステムの前記アンテナマスト（２）は３〜８ｍの高さを有することを特徴とする請求項１６から２０のいずれか１項に記載のモジュラーアンテナマストシステム。
【請求項２２】
特定のマスト本体（４）に対して前記モジュールセットからどのモジュールが選択されたかに応じて、前記モジュラーアンテナマストシステムのそれぞれ異なる構成のマスト本体（４）は、前記更なる機能に利用される種々の装置を備えるように構成されることを特徴とする請求項１６から２１のいずれか１項に記載のモジュラーアンテナマストシステム。
【請求項２３】
前記それぞれ異なる構成のマスト本体（４）のうち少なくとも１つのマスト本体は、前記無線通信システムの送信機及び／又は受信機と、プロセッサとを少なくとも収納するように構成されることを特徴とする請求項１６から２２のいずれか１項に記載のモジュラーアンテナマストシステム。
【請求項２４】
前記モジュールセットのうち少なくとも１つの下部モジュール（６）は、前記更なる機能に利用される装置を備えるように構成されることを特徴とする請求項１６から２３のいずれか１項に記載のモジュラーアンテナマストシステム。
【請求項２５】
前記モジュールセットのうち少なくとも１つの上部モジュール（８）は、前記アンテナ装置の傍に、前記更なる機能に利用される装置を備えるように構成されることを特徴とする請求項１６から２４のいずれか１項に記載のモジュラーアンテナマストシステム。
【請求項２６】
前記モジュールセットから１つの中央モジュール（３０）を備えたそれぞれ異なる構成のマスト本体（４）を組み立てることができるように、前記モジュールセットは、少なくとも２つの異なる下部モジュール（６）及び少なくとも２つの異なる中央モジュール（３０）及び少なくとも２つの異なる上部モジュール（８）を含むことを特徴とする請求項１６から２５のいずれか１項に記載のモジュラーアンテナマストシステム。
【請求項２７】
中央モジュール（３０）は、実質的に前記アンテナマストシステムのアンテナマスト（２）の組み立てられたマスト本体（４）の下部モジュール（６）と上部モジュール（８）との間に配置されることを特徴とする請求項２６記載のモジュラーアンテナマストシステム。
【請求項２８】
前記モジュールセットのうち少なくとも１つの中央モジュール（３０）は、前記更なる機能に利用される装置を備えるように構成されることを特徴とする請求項２６又は２７記載のモジュラーアンテナマストシステム。
【請求項２９】
下部モジュール（６）は、中央モジュール（３０）、上部モジュール（８）並びに前記中央モジュール（３０）及び前記上部モジュール（８）に配置される装置の重量を支えるように構成された支持構造を形成することを特徴とする請求項２６から２８のいずれか１項に記載のモジュラーアンテナマストシステム。
【発明の詳細な説明】
【技術分野】
【０００１】
本発明は、無線通信システムのアンテナマストを提供する方法及び無線通信システムのアンテナマストを提供するモジュラーアンテナマストシステムに関する。
【背景技術】
【０００２】
無線通信を利用する無線通信システムは、トランシーバ装置及びプロセッサを備え、それらの構成要素は、基地局、無線ネットワークコントローラ又はノードＢと呼ばれるものに含まれる。更に、トランシーバ装置にはアンテナが接続され、アンテナは無線信号の送受信に必要である。アンテナは例えばアンテナマストに配置されてもよい。従来の技術では多様なマストが示唆されているが、最も一般的に使用されている種類のマストは鋼鉄ラティスマストである。
【０００３】
移動通信機器による移動インターネットアクセスなどの無線通信は、多くの人々や多くのデバイスにより必要とされている。そのため、無線通信システム内における無線トラフィックは増大しており、それに伴って、移動通信機器のアクセスポイント数を増加させる必要がある。アクセスポイントごとに少なくとも１つのアンテナが必要であるので、移動インターネットアクセスの需要が高まるにつれて、必要とされるアンテナ数も増加する。
【０００４】
欧州特許第１，１９８，０２４号公報は、アンテナマストの中に配置された案内手段に沿ってアンテナが昇降するアンテナマストを開示する。一実施形態によれば、アンテナマストは、照明器具支持パイプを備える。
【０００５】
米国特許第６，３３５，７０９号公報は、貯水タンクとアンテナマストを１つの構造に一体化したサービスタワーを開示する。
【０００６】
欧州特許第１，２８６，４１２号公報は、積み重なるように配置された同一の外形を有するいくつかのモジュールを備えた中央支持タワー構造を有する無線タワーを開示する。それらのモジュールは、例えば送信機器及び給電機器を収納する。更に、タワーは、ガラス繊維強化プラスチック材料から製造された堅固なリング形カバー部分を備え、カバー部分の内側に無線タワーのモジュールが配置される。各リング形カバー部分は無線タワーの１つのモジュールにより支持される。カバーの外側には、情報又は告知を提供するための画面が配置されてもよい。小規模店舗又はチケット販売機を収容するためにカバーを利用することも提案される。
【０００７】
国際公開第ＷＯ９８／５８４２０号は、無線通信ポールシステムを開示する。迅速に設置できるように、システムは完全に一体化されている。システムは、ポール、土台構体及びアンテナ構体を備える。一実施形態によれば、ポールはバナー広告支持照明ポールとしても機能する。
国際公開第ＷＯ０２／０７３７３６号は、移動体無線アンテナ又は指向性アンテナのような少なくとも一つのアンテナのアンテナハウジングを開示する。アンテナハウジングは、少なくともいくつかの部位において、照明装置及び／又は光学的信号伝達装置の少なくとも一部の形状を有している。照明の電源ケーブル及びアンテナ宮殿装置はポストの内側に配置可能である。
国際公開第ＷＯ０２／５０９４３号は、少なくとも一つのアンテナ、或いは、移動体無線アンテナや指向性伝送アンテナなどのようなアンテナ装置のハウジングを開示する。ハウジングの壁部は少なくとも部分的に透明であり、少なくとも一つの光学情報支持体のための少なくとも一つの凹部が設けられている。凹部は例えば二つの側壁によって形成され、これらは壁部を構成する。
国際公開第２００７／１０８７３１号は、無線通信ネットワークに用いられる中空のアンテナ塔構造を開示する。この塔はコンクリート製の管状塔部を備え、概ね中空の断面を有する。少なくとも一つのアンテナ及び少なくとも一つのマイクロ波中継装置を備える移動体基地局ユニットが管状の塔内に配置される。基地局ユニット全体がエレベータシステムの補助により塔内を昇降可能である。塔は、また、塔内への少なくとも一つの入口と、上昇設備及び／又は第２エレベータシステムを備え、塔内で基地局ユニットにアクセス可能としている。
国際公開第２００６／０８９１６７９号は、モジュラーポール構造の方法及び細長いモジュラーポール構造を開示する。方法の第１の工程は、中空テーパ上のポール部モジュールを設ける工程を含み、各モジュールは第１の開口端部と反対側の第２の開口端部とを含む。第２の端部の断面は第１の端部の断面よりも小さい。モジュールは、第１のモジュールの第２の端部と第２のモジュールの第１の端部とを整合させることで、選択された長さの細長いモジュラーポール構造を形成するように積み重ねられる。第１及び第２のモジュールは、異なる構造的特性を有していてもよく、これにより所望の構造的特性を有するポールが、異なる構造的特性を有するモジュールの選択的な組み合わせにより、構築され得る。
国際公開第２００７／１３６２４１号は、無線通信アプリケーションに用いる携帯型移動体通信塔を開示する。この塔は、ａ）側部パネルと支持フレームとが組付けられた携帯型ケージを備え、これは塔の細長いベース構造を形成する。この構造は、調整可能な安定用のスタンドと、平坦ではない面上での高さ調整及びケージ支持のための支持脚を備えている。また、この塔は、ｂ）モジュラー形式で構築され、サイズが異なる同様の部分マストを備え、撤去可能な巻き揚げ装置の補助により、部分毎に組み立て可能なマスト或いは格子塔を備える。また、この塔は、ｃ）マスト又は格子塔を支持し、組立作業中に部分マストの振れを制限する支持手段として機能する補強部材を備える。携帯型移動体通信塔は、容易に輸送でき、使用場所で迅速に組み立て可能である。また、簡易い、迅速に、そしてセーフモードでその場所から解体及び撤去可能であり、迅速に別の場所に輸送又は保管可能である。
【０００８】
無線通信システムのアクセスポイント数は多く、従ってアンテナ数も多いので、関連するアンテナマストは公共の場に受け入れられることが必要である。上記の従来の文献に開示されるように、アンテナマストに関連してアンテナ装置を支持する機能以外の更なる機能を実現することにより、受け入れられやすくなるだろう。
【０００９】
例えば、限られたエリア内で多数のアンテナマストを設置しなければならない場合、一般の人々に容認される状況を維持するために、限られた数のアンテナマストで種々の更なる機能を実現する必要がある。しかし、多数のアンテナマストと関連してそのように多くの種々の更なる機能を実現することには問題があるだろう。多数のアンテナマストの製造及び設置は複雑であり且つコストもかかる恐れがある。
【発明の概要】
【００１０】
従って、目的は、上述の問題を少なくとも軽減することである。
【００１１】
１つの態様によれば、上記の目的は、無線通信システムのアンテナマストを提供する方法により達成される。アンテナマストは、無線通信システムのアンテナ装置の支持構造を形成するように構成されたマスト本体を備える。マスト本体は下部モジュール及び上部モジュールを備える。上部モジュールはアンテナ装置を含むように構成される。下部モジュール及び上部モジュールのうち少なくとも一方のモジュールは、アンテナ装置を支持する機能以外の更なる機能に利用される装置を備えるように構成される。
【００１２】
方法は、少なくとも２つの異なる下部モジュール及び／又は少なくとも２つの異なる上部モジュールを含むモジュールセットから１つの下部モジュール及び１つの上部モジュールを選択する工程と、
組み立てられたマスト本体を形成するために、選択された下部モジュール及び選択された上部モジュールを含むマスト本体を組み立てる工程と
を備える。
【００１３】
選択された下部モジュール及び選択された上部モジュールを含み、本発明に従って提供され、組み立てられたアンテナマストは、特定の更なる機能に合わせて設計されてもよく、その機能は、同一のモジュールセットから組み立てられる別の構成のアンテナマストで提供される更なる機能とは異なってもよいので、種々の用途に適合し、融通性に優れたアンテナマストが実現される。その結果、上記目的は達成される。
【００１４】
異なる下部モジュール及び／又は異なる上部モジュールを含むモジュールセットの使用は、様々なアンテナマスト設置場所で特定の条件に適合する種々のアンテナマストを製造するための理に適った好都合な方法でもよい。例えば、アンテナマスト設置場所が２本の道路が交差する場所である場合、更なる機能に利用される装置は、信号機又は道路標識であってもよい。そこで、マスト本体の土台を形成する下部モジュールがモジュールセットから選択されてもよく、信号機の信号を受信するように構成された上部モジュール又は道路標識を形成するように構成された上部モジュールがモジュールセットから選択されてもよい。別のアンテナマスト設置場所の例としてバスの停留所を考えると、その場合、ベンチを構成する下部モジュールがモジュールセットから選択されてもよく、アンテナ装置を支持するように構成された上部モジュールがモジュールセットから選択されてもよい。アンテナマスト設置場所の更に別の例は公園エリアでもよく、その場合、モジュールセットから選択される下部モジュールはゴミ箱を備え且つモジュールセットから選択される上部モジュールは街灯を備えるように構成されてもよい。種々のマスト本体を提供できるので、モジュールセットから組み立てられるアンテナマストは様々な場所に設置されて、その環境に違和感なく溶け込む。これにより、アンテナマストは公共の場で妥当に容認される。
【００１５】
アンテナ装置を備えるように構成される上部モジュールは、アンテナ装置が上部モジュールに取り付けられるか又は上部モジュールの内側に配置されるように考慮される。アンテナ装置はアンテナマストの高い位置に配置される。従って、アンテナ装置は上部モジュールの最上部に配置されてもよく、あるいは上部モジュールのいくつかの部分がアンテナ装置の上に出る場合も予想される。モジュールセットは、少なくとも１つの下部モジュール及び少なくとも１つの上部モジュールと、下部モジュール及び上部モジュールのうち少なくとも１つの別のモジュールとを含むことが理解される。
【００１６】
無線通信システムでは、可能な実現形態をほんのいくつか挙げるだけでも、ＬＴＥ（Ｌｏｎｇ Ｔｅｒｍ Ｅｖｏｌｕｔｉｏｎ）、ＬＴＥ‐ａｄｖａｎｃｅｄ、第３世代パートナーシッププロジェクト（３ＧＰＰ）、広帯域符号分割多元接続（ＷＣＤＭＡ（登録商標））、汎ヨーロッパデジタル移動通信システム／ＧＳＭ（登録商標）の拡張向け高速データ（ＧＳＭ（登録商標）／ＥＤＧＥ）、ＷｉＭａｘ（Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ）又はＵＭＢ（Ｕｌｔｒａ Ｍｏｂｉｌｅ Ｂｒｏａｄｂａｎｄ）などの種々の技術が使用されてもよい。無線通信システムは、１つのセルを形成する少なくとも１つの対応する地域を無線有効範囲とするトランシーバ装置及びプロセッサを備えてもよい。セルの中で、移動電話などのユーザ機器は、それぞれ対応するトランシーバ装置及びプロセッサによるサービスを受け且つそれぞれ対応するトランシーバ装置及びプロセッサと通信する。アンテナマストは、セル内のアンテナ設置場所に立てられてもよい。通常、アンテナ設置場所は、一般の人々が頻繁に訪れる戸外のエリアにある。そのようなエリアでは、無線通信システムの利用が予測される。
【００１７】
実施形態によれば、更なる機能は、無線通信システムに直接関連する機能以外の機能であってもよい。特定のアンテナマスト構体の更なる機能に利用される装置は無線通信システムを利用してもよいが、装置自体は、特定のアンテナマスト構体のアンテナ装置を利用する無線通信システムの任意のユーザの間の通信には関与しない。言い換えると、無線通信システムの任意のユーザの間の通信は、更なる機能に利用される装置に関連する通信とはまったく無関係に実行されるということである。更なる機能に利用される装置は、例えば、無線通信システムを介してその装置の動作状態をサービスプロバイダへ通信してもよい。
【００１８】
実施形態によれば、組み立てる工程は、
組み立てられたマスト本体で下部モジュールを実質的に上部モジュールの下方に配置する工程
を含んでもよい。
【００１９】
実施形態によれば、方法は、
組み立てられたマスト本体の外面の少なくとも一部を形成するために、モジュールセットの下部モジュール及び上部モジュールを製造する工程を備えてもよい。これにより、モジュールセットから組み立てられたマスト本体は、連続する外面を含んでもよい。
【００２０】
実施形態によれば、方法は、
組み立てられたマスト本体の上部モジュール及び上部モジュールに配置される装置の重量を少なくとも支えるように構成された支持構造を形成するために下部モジュールを製造する工程
を備えてもよい。これにより、下部モジュールは、組み立てられたマスト本体の重量を支え且つ関連するアンテナマストを支持するために地面に固定されてもよい。
【００２１】
実施形態によれば、方法は、
更なる機能に利用される装置を実質的に組み立てられたマスト本体の外面の内側に配置する工程を備えてもよい。これにより、更なる機能に利用される装置はマスト本体に十分に溶け込み、一様なアンテナマストを形成してもよい。更なる機能に利用される装置は、アンテナマスト本体の中に保護されるように配置されてもよい。
【００２２】
実施形態によれば、方法は、
３〜８ｍの高さを有するアンテナマストを提供する工程を備えてもよい。
【００２３】
実施形態によれば、方法は、
モジュールセットから選択されたモジュールに応じて、更なる機能に利用される特定の装置を組み立てられたマスト本体に配置する工程を備えてもよい。従って、モジュールセットからどの特定のモジュールが選択されたかに応じて、更なる機能に利用される特定の装置をマスト本体に配置されてもよい。装置は、マスト本体が組み立てられる前にモジュールに配置されてもよく、あるいはマスト本体の組み立て終了後に配置されてもよい。
【００２４】
実施形態によれば、方法は、
少なくとも無線通信システムの送信機及び／又は受信機と、プロセッサとを選択された下部モジュール及び／又は選択された上部モジュールの中に配置する工程を備えてもよい。これにより、アンテナマストは、無線通信システムのそれらの構成要素を収納する。送信機及び／又は受信機並びにプロセッサの下部モジュール及び／又は上部モジュールへの配置は、マスト本体が組み立てられる前に実行されてもよいが、マスト本体の組み立て終了後に実行されてもよい。
【００２５】
実施形態によれば、方法は、
組み立てられたマスト本体の下部モジュールに接続され、更なる機能に利用される装置を設ける工程を備えてもよい。
【００２６】
実施形態によれば、方法は、
ベンチ、屋根構造、ゴミ箱、自動販売機、電子画面、駐車メータ、信号機、照明装置、カード読み取り装置、電源ソケット又は除細動器などの人命救助装置より成る群から更なる機能に利用される装置を選択する工程を備えてもよい。このように、種々の機能、サービス及び装置を提供してもよい。ベンチは、一般の人々が腰をおろすことを望むようなアンテナマスト設置場所に配置されてもよい。屋根構造は、一般の人々が雨又は日差しをよける必要があると考えられるアンテナ設置場所に配置されてもよい。ゴミ箱は、多くの人々が頻繁に訪れるようなアンテナマスト設置場所に配置されてもよい。自動販売機は、多くの人々が頻繁に訪れるようなアンテナマスト設置場所に配置される。電子画面は、１人以上の人物に対して情報を提供することが必要であるようなアンテナマスト設置場所に配置されてもよい。駐車メータは、駐車場の付近のアンテナマスト設置場所に配置されてもよい。路肩、交差点又は歩行者向け横断歩道にあるアンテナマスト設置場所には１つ以上の信号機が配置されてもよい。カード読み取り装置は、サービス提供者が例えば駐車場、電気自動車充電装置、公共交通機関などで料金を徴収することを望むようなアンテナマスト設置場所に配置されてもよい。電源ソケットは、電気自動車を充電できるアンテナマスト設置場所に配置されてもよい。除細動器、酸素ボンベ及び酸素マスクなどの人命救助装置は、多くの人々が頻繁に訪れるアンテナマスト設置場所又はそのような機器を配置する特別の理由がある場所に配置されてもよい。
【００２７】
実施形態によれば、方法は、
組み立てられたマスト本体の上部モジュールに接続され、更なる機能を実行するために利用される装置をアンテナ装置を設ける工程を備えてもよい。
【００２８】
実施形態によれば、方法は、
標識、照明装置、時計、屋根構造、信号機又は電子画面より成る群から更なる機能に利用される装置を選択する工程を備えてもよい。このように、種々の機能、サービス及び装置が提供されてもよい。標識は、一般の人々に対して情報を表示すべきアンテナマスト設置場所に配置されてもよい。１つ以上の電灯などの照明装置は、夜間に一般の人々が頻繁に訪れるようなアンテナマスト設置場所に配置されてもよい。時計は、公共交通機関の駅の付近のアンテナマスト設置場所に配置されてもよい。屋根構造は、一般の人々が雨又は日差しをよける必要があると考えられるアンテナマスト設置場所に配置されてもよい。路肩、交差点又は歩行者用横断歩道にあるアンテナマスト設置場所には１つ以上の信号機が配置されてもよい。電子画面は、１人以上の人物に対して情報を提供する必要があるようなアンテナマスト設置場所に配置されてもよい。
【００２９】
実施形態によれば、モジュールセットは、少なくとも２つの異なる下部モジュール及び／又は少なくとも２つの異なる中央モジュール及び／又は少なくとも２つの異なる上部モジュールを含んでもよく、選択することは、
モジュールセットから１つの中央モジュールを選択することを含み、組み立てることは、
組み立てられたマスト本体を形成するために、選択された中央モジュールを含むマスト本体を組み立てることを含んでもよい。これにより、上部モジュール及び下部モジュールに加えて中央モジュールを備えるアンテナマストを提供してもよい。モジュールセットに中央モジュールが含まれることによって、特定のアンテナマスト設置場所に柔軟に適応させたアンテナマストを提供できる。４つ以上の及び／又は異なるモジュールの組み合わせが提供される。
【００３０】
実施形態によれば、アンテナマスト本体を組み立てることは、
中央モジュールを実質的に下部モジュールと上部モジュールとの間に配置する工程を含んでもよい。
【００３１】
実施形態によれば、方法は、
中央モジュールに接続され、更なる機能に利用される装置を設ける工程を備えてもよい。
【００３２】
実施形態によれば、方法は、
信号機、電子画面、屋根構造又は照明装置より成る群から更なる機能に利用される装置を選択する工程を備えてもよい。このように、種々の機能、サービス及び装置を提供してもよい。路肩、交差点又は歩行者用横断歩道にあるアンテナマスト設置場所には１つ以上の信号機が配置されてもよい。電子画面は、１人以上の人物に対して情報を提供する必要があるようなアンテナマスト設置場所に配置されてもよい。屋根構造は、一般の人々が雨又は日差しをよけることが必要であると考えられるアンテナマスト設置場所に配置されてもよい。１つ以上の電灯のような照明装置は、夜間に一般の人々が頻繁に訪れるようなアンテナマスト設置場所に配置されてもよい。
【００３３】
実施形態によれば、モジュールセットのうち下部モジュールは、中央モジュール、上部モジュール並びに中央モジュール及び上部モジュールに配置される装置の重量を支えるように構成された支持構造を形成してもよい。これにより、下部モジュールは、組み立てられたマスト本体の重量を支え且つ関連するアンテナマストを支持するために地面に固定されてもよい。
【００３４】
更なる態様によれば、無線通信システムのアンテナマストを提供し、アンテナマストのうち少なくともいくつかは、無線通信システムのアンテナ装置の支持構造を形成するように構成されたマスト本体をそれぞれ備えるモジュラーアンテナマストシステムにより、上記の目的は達成される。マスト本体は下部モジュール及び上部モジュールを備え、上部モジュールは、アンテナ装置を備えるように構成される。下部モジュール及び上部モジュールのうち少なくとも一方のモジュールは、アンテナ装置を支持する機能以外の更なる機能に利用される装置を備えるように構成される。アンテナマストシステムは、下部モジュール及び上部モジュールを含むモジュールセットを備え、モジュールセットから１つの下部モジュール及び１つの上部モジュールを備えたそれぞれ異なる構成のマスト本体を組み立てることができるように、モジュールセットは、少なくとも２つの異なる下部モジュール及び／又は少なくとも２つの異なる上部モジュールを含む。
【００３５】
アンテナマストシステムは、それぞれ異なる構成のマスト本体の組み立てが可能なモジュールセットを備えるので、特定の更なる機能に合わせてアンテナマストを設計でき、その機能は、同一のモジュールセットから組み立てられる別のアンテナマストで実現される更なる機能とは異なってもい。これにより、特定のアンテナ設置場所にアンテナマストを高い柔軟性で適応させる。その結果、上記の目的は達成される。
【００３６】
実施形態によれば、更なる機能は、無線通信システムに直接関連する機能以外の機能あってもよい。特定の組み立てられたアンテナマストの更なる機能に利用される装置は無線通信システムを利用してもよいが、装置自体は、その特定の組み立てられたアンテナマストのアンテナ装置を利用する無線通信システムの任意のユーザの間の通信には関与しない。例えば、更なる機能に利用される装置は、無線通信システムを介してその装置の動作状態をサービスプロバイダへ通信してもよい。
【００３７】
実施形態によれば、アンテナマストシステムのアンテナマストの組み立てられたマスト本体で、下部モジュールは実質的に上部モジュールの下方に配置されてもよい。
【００３８】
実施形態によれば、下部モジュール及び上部モジュールは、アンテナマストシステムのアンテナマストの組み立てられたマスト本体の外面の少なくとも一部を形成してもよい。これにより、モジュールセットから組み立てられたマスト本体は、連続する外面を含んでもよい。
【００３９】
実施形態によれば、モジュールセットのうち下部モジュールは、組み立てられたマスト本体の上部モジュール及び上部モジュールに配置される装置の重量を少なくとも支えるように構成された支持構造を含んでもよい。これにより、下部モジュールは、組み立てられたマスト本体の重量を支え且つ関連するアンテナマストを支持するために地面に固定されてもよい。
【００４０】
実施形態によれば、アンテナマストシステムのアンテナマストの組み立てられたマスト本体は、更なる機能に利用される装置を実質的に組み立てられたマスト本体の外面の内側に収納するように構成されてもよい。これにより、更なる機能に利用される装置はマスト本体に十分に溶け込むので、一様なアンテナマストを形成してもよい。更なる機能に利用される装置は、アンテナマスト本体の中に保護されるように配置される。
【００４１】
実施形態によれば、アンテナマストシステムのアンテナマストのうち少なくともいくつかのアンテナマストは３〜８ｍの高さを有してもよい。
【００４２】
実施形態によれば、特定のマスト本体に対してモジュールセットからどのモジュールが選択されたかに応じて、モジュラーアンテナマストシステムのそれぞれ異なる構成のマスト本体は、更なる機能に利用される種々の装置を備えるように構成されてもよい。このように、モジュールセットからどの特定のモジュールが選択されたかに応じて、更なる機能に利用される特定の装置がマスト本体に配置されてもよい。装置は、マスト本体が組み立てられる前にモジュールに配置されてもよいが、マスト本体の組み立て終了後に配置されてもよい。
【００４３】
実施形態によれば、それぞれ異なる構成のマスト本体のうち少なくとも１つのマスト本体は、無線通信システムの送信機及び／又は受信機と、プロセッサとを少なくとも収納するように構成されてもよい。これにより、更なる機能を実行するための装置を提供するように構成され且つ無線通信システムの重要な構成要素も収納するマスト本体を含めたアンテナマストが提供されてもよい。
【００４４】
実施形態によれば、モジュールセットのうち少なくとも１つの下部モジュールは、更なる機能に利用される装置を備えるように構成されてもよい。
【００４５】
実施形態によれば、更なる機能に利用される装置は、ベンチ、屋根構造、ゴミ箱、自動販売機、電子画面、駐車メータ、信号機、照明装置、カード読み取り装置、電源ソケット又は除細動器などの人命救助装置でもよい。
【００４６】
実施形態によれば、モジュールセットのうち少なくとも１つの上部モジュールは、アンテナ装置の傍で、更なる機能に利用される装置を備えるように構成されてもよい。
【００４７】
実施形態によれば、更なる機能に利用される装置は、標識、照明装置、時計、屋根構造、信号機又は電子画面でもよい。
【００４８】
実施形態によれば、モジュールセットから１つの中央モジュールを備えたそれぞれ異なる構成のマスト本体を組み立てることができるように、モジュールセットは、少なくとも２つの異なる下部モジュール及び／又は少なくとも２つの異なる中央モジュール及び／又は少なくとも２つの異なる上部モジュールを含んでもよい。これにより、上部モジュール及び下部モジュールに加えて中央モジュールを備えたアンテナマストが提供されてもよい。モジュールセットに中央モジュールが含まれることによって、特定のアンテナマスト設置場所に柔軟に適応させたアンテナマストを提供できる。
【００４９】
実施形態によれば、中央モジュールは、実質的にアンテナマストシステムのアンテナマストの組み立てられたマスト本体の下部モジュールと上部モジュールとの間に配置されてもよい。
【００５０】
実施形態によれば、モジュールセットのうち少なくとも１つの中央モジュールは、更なる機能に利用される装置を備えるように構成されてもよい。
【００５１】
実施形態によれば、更なる機能に利用される装置は、信号機、電子画面、屋根構造又は照明装置でもよい。
【００５２】
実施形態によれば、下部モジュールは、中央モジュール、上部モジュール並びに中央モジュール及び上部モジュールに配置される装置の重量を支えるように構成された支持構造を形成する。これにより、下部モジュールは、組み立てられたマスト本体の重量を支え且つ関連するアンテナマストを支持するために地面に固定されてもよい。
【００５３】
本発明の更なる特徴及び利点は、添付の特許請求の範囲及び以下の詳細な説明を検討することにより明らかになるだろう。添付の特許請求の範囲により定義される範囲から逸脱することなく、以下に説明される実施形態以外の実施形態を創造するために実施形態の種々の特徴が組み合わされてもよいことは当業者には理解されるだろう。
【図面の簡単な説明】
【００５４】
特定の特徴及び利点を含む実施形態の種々の態様は、以下の詳細な説明及び添付の図面から容易に理解されるだろう。
【図１】実施形態に係るアンテナマストを示す図である。
【図２】実施形態に係るアンテナマストを示す図である。
【図３】実施形態に係るアンテナマストを示す図である。
【図４】ａ〜ｉは、アンテナマストの下部モジュールの実施形態を示す図である。
【図５ａ】アンテナマストの中央モジュールの実施形態を示す図である。
【図５ｂ】アンテナマストの中央モジュールの実施形態を示す図である。
【図５ｃ】アンテナマストの中央モジュールの実施形態を示す図である。
【図５ｄ】アンテナマストの中央モジュールの実施形態を示す図である。
【図５ｅ】アンテナマストの中央モジュールの実施形態を示す図である。
【図６】ａ〜ｈは、アンテナマストの上部モジュールの実施形態を示す図である。
【図７】無線通信システムのアンテナマストを提供する方法の実施形態を示すフローチャートである。
【発明を実施するための形態】
【００５５】
実施形態を示す添付の図面を参照して、本発明を更に詳細に説明する。本明細書に記載される実施形態は、本発明を限定すると解釈されるべきではない。例示的な実施形態において開示される特徴は、当業者には容易に理解されるように組み合わされてもよい。図中、同一の図中符号は同一の要素を示す。
【００５６】
説明を簡潔且つ／又は明瞭にするため、周知の機能又は構成が説明されない場合もある。
【００５７】
図１は、実施形態に係るアンテナマスト２を示す。アンテナマスト２は、下部モジュール６及び上部モジュール８を含むマスト本体４を備える。下部モジュール６は、地面１０に設置され且つマスト本体４及びアンテナマスト２を直立状態で支持する。下部モジュール６及び上部モジュール８は、マスト本体４を形成するように既に組み立てられている。下部モジュール６及び上部モジュール８は、複数の異なる下部モジュール及び複数の異なる上部モジュールを含むモジュールセットから選択される。
【００５８】
アンテナマスト２は無線通信システムの一部を形成する。アンテナマスト２の上端部で、上部モジュールは無線通信システムのアンテナ装置を支持する。マスト本体４は、無線通信システムのトランシーバ装置及びプロセッサを収納してもよい。トランシーバ装置は、独立した送信機及び受信機を備えてもよいが、組み合わせトランシーバを備えてもよい。また、トランシーバ装置及びプロセッサが１つのユニットに統合されていてもよい。アンテナ装置、トランシーバ装置及びプロセッサは、無線通信システムの任意のユーザの間、例えば移動電話を介する２人の人物の間の通信又はサーバに記憶されたウェブサイトをウェブブラウザを介してアクセスする無線デバイスを介する通信に関与する。
【００５９】
下部モジュール６は、上部モジュール８、アンテナ装置並びにマスト本体４に収納されたトランシーバ装置及びプロセッサの重量を支える。
【００６０】
上部モジュール８は、更なる機能、すなわちアンテナ装置を支持する機能以外の機能に利用される装置を備える。本実施形態において、上部モジュールの更なる機能に利用される装置は標識１２である。本実施形態において、標識１２は駐車場であることを示す。アンテナマストにより支持されるアンテナ装置は、標識１２の内部に配置される。
【００６１】
下部モジュール６は、更なる機能に利用される装置を備える。第１の装置は、情報を提示する電子画面１４である。ユーザが第１の装置に入力を提供できるように、電子画面１４はタッチスクリーンでもよい。第２の装置はカード読み取り装置１６である。カード読み取り装置１６は、例えばクレジットカードのような磁気条片及び／又は読み取り可能チップを備えるプラスチックカードを読み取ってもよい。更なる機能に利用される第３の装置は、電子画面１４及びカード読み取り装置１６を備える駐車メータ１８である。標識１２により示される駐車場に駐車したい車両の所有者は、電子画面１４を介して駐車料金に関する情報を受け取り且つタッチスクリーンを介して駐車時間を入力してもよい。ユーザは、駐車料金を支払うためにカード読取装置１６にクレジットカードを差し込んでもよい。プリンタ（図示せず）により領収書がプリントアウトされてもよい。プリンタは、下部モジュール６の更なる機能に利用される第４の装置を形成してもよい。
【００６２】
図２は、実施形態に係るアンテナマスト２を示す。アンテナマスト２は、下部モジュール６及び上部モジュール８を含むマスト本体４を備える。本実施形態でも、下部モジュール６は、地面１０に設置され且つマスト本体４及びアンテナマスト２を直立状態で支持する。複数の異なる下部モジュール及び複数の異なる上部モジュールを含むモジュールセットから選択された下部モジュール６及び上部モジュール８から、マスト本体４は既に組み立てられている。
【００６３】
本実施形態でも、アンテナマスト２は無線通信システムの一部を形成し、アンテナマスト２の上端部で、上部モジュール８は無線通信システムのアンテナ装置を支持する。マスト本体４は、無線通信システムのトランシーバ装置及びプロセッサを収納してもよい。
【００６４】
上部モジュール８は、標識１２の形の更なる機能に利用される装置を備え、下部モジュール６は、更なる機能に利用されるいくつかの装置を備える。
【００６５】
本実施形態において、アンテナマスト２は、電気自動車を充電するための装置２０を備える。従って、標識１２はそのような装置があることを示す。下部モジュール６は、電気自動車を充電するための装置２０の形の更なる機能に利用される装置を備える。装置２０は、更なる機能に利用される３つの装置、すなわち電子画面１４である第１の装置と、カード読み取り装置１６である第２の装置と、電源ソケット２２である第３の装置とを備える。電子画面１４及びカード読み取り装置１６は、先に駐車メータに関連して説明したように機能してもよい。電源ソケット２２は、電気自動車の所有者が充電を行うために設けられている。各々が１つ以上の電源ソケット２２を備えるいくつかの個別の充電ポスト２４は、電気自動車を充電するための装置２０に接続されてもよい。自動車を充電したい場合、ユーザは、電子画面１４の指示に従って、自動車を充電するための充電ポスト２４のうち１つのポストで利用可能な電源ソケット２２に自動車を接続する。
【００６６】
図１及び図２に示される下部モジュール６及び上部モジュール８は、モジュールセットの一部を構成する。従って、モジュールセットは、少なくとも２つの異なる下部モジュール６及び少なくとも２つの異なる上部モジュール８を含む。モジュールセットは、図１及び図２に示されるモジュールと同一の種類の更に別の下部モジュール６及び／又は更に別の上部モジュール８及び／又は図１及び図２に示されるモジュールとは異なる種類の別の下部モジュール６及び／又は別の上部モジュール８を含んでもよい。アンテナマストシステムはモジュールセットを備えてもよい。従って、それらのモジュールセットから、それぞれ異なる構成のマスト本体４を組み立ててもよい。従って、アンテナマスト２を提供する方法は、モジュールセットから１つの下部モジュール６及び１つの上部モジュール８を選択することと、組み立てられたマスト本体４を形成するために、選択された下部モジュール６及び選択された上部モジュール８を含むマスト本体４を組み立てることとを備えてもよい。
【００６７】
図３は、実施形態に係るアンテナマスト２を示す。アンテナマスト２は、下部モジュール６、中央モジュール３０及び上部モジュール８を含むマスト本体４を備える。下部モジュール６は、地面に設置され且つマスト本体４及びアンテナマスト２を直立位置で支持する。マスト本体４は、複数の異なる下部モジュール、複数の異なる中央モジュール及び複数の異なる上部モジュールを含むモジュールセットから選択された下部モジュール６、中央モジュール３０及び上部モジュール８から既に組み立てられている。
【００６８】
先の実施形態と同様に、アンテナマスト２は無線通信システムの一部を形成し、アンテナマスト２の上端で、上部モジュール８は無線通信システムのアンテナ装置を支持する。マスト本体４は、無線通信システムのトランシーバ装置及びプロセッサを収納してもよい。本実施形態において、アンテナマスト２は、公共交通機関の駅又はショッピングセンターのように一般の人々が腰を下ろしたいと思うか又は日時を知りたいと思うようなアンテナ設置場所に配置されるように構成される。上部モジュールは、アンテナ装置を支持する機能以外の更なる機能に利用される時計３２の形態の装置を備える。下部モジュール６は、更なる機能に利用されるベンチ３４の形態の装置を備える。本実施形態の中央モジュール３０は、時計３２及び上部モジュール８のアンテナ装置を適切な高さ、例えば地上３〜８ｍの高さに位置決めするための延長部分である。
【００６９】
図４ａ〜図４ｉは、アンテナマストの下部モジュール６の実施形態を示す。図４ａ〜図４ｅ及び図４ｇ〜図４ｉに示される下部モジュール６はいずれも、更なる機能、すなわち関連するアンテナマストのアンテナ装置を支持する機能以外の機能に利用される少なくとも１つの装置を備える。図４ａは、更なる機能に利用される自動販売機４０の形態の装置を備えた下部モジュール６を示す。図４ｂは、更なる機能に利用される駐車メータ１８の形態の装置を備えた下部モジュール６を示す。図４ｃは、更なる機能に利用される電子画面１４の形態の装置を備えた下部モジュール６を示す。図４ｄは、更なる機能に利用される電子画面１４の形態の装置を備えた下部モジュール６を示す。図４ｃ及び図４ｄに示される電子画面の大きさは異なる。図４ｄの大型の画面１４は一般の人々に対する告知又はコマーシャルメッセージを表示するのに適するが、図４ｃの狭い画面は、１人の人物に対して情報を提供するために利用されてもよい。図４ｅは、更なる機能に利用されるゴミ箱４２の形態の装置を備えた下部モジュール６を示す。図４ｆは、更なる機能に利用される装置を含まない下部モジュール６を示す。しかし、この下部モジュール６の内側には無線通信システムの部品が配置されてもよい。図４ｇは、更なる機能に利用される歩行者用又は自転車用の横断道の信号機４４の形態の装置を備えた下部モジュール６を示す。図４ｈは、更なる機能に利用される電灯のような照明装置４５の形態の第１の装置と、更なる機能に利用される屋根構造４６の形態の第２の装置とを備えた下部モジュール６を示す。図４ｉは、更なる機能に利用される除細動器４７の形態の装置を備えた下部モジュール６を示す。少なくとも除細動器４７の電極は、下部モジュール６の内側のボックスの中に配置される。ボックスのドア４８を開くことにより、人命を救助するために、少なくとも除細動器４７の電極をボックスから取り出してもよい。図４ａ〜図４ｅ及び図４ｇ〜図４ｉの各々に示される更なる機能に利用される装置のうち少なくとも１つの装置は、実質的に下部モジュール６の中に収納され、従って、下部モジュール６の外面の内側に収納される。使用時に操作する必要があるか又は目に見えている必要がある装置の部分は、下部モジュール６の外面に配置される。
【００７０】
図５ａ〜図５ｅは、アンテナマストの中央モジュール３０の実施形態を示す。図５ａ及び図５ｃ〜図５ｅに示される中央モジュール３０はいずれも、更なる機能、すなわち関連するアンテナマストのアンテナ装置を支持する機能以外の機能に利用される少なくとも１つの装置を備える。図５ａは、更なる機能に利用される信号機５０の形態の装置を備えた中央モジュール３０を示す。図５ｂは、更なる機能に利用される装置を含まない中央モジュール３０を示す。この中央モジュール３０の内側に無線通信システムの部品が配置されてもよい。図５ｃは、更なる機能に利用される照明装置４５の形態の装置を備えた中央モジュール３０の実施形態を示す。図５ｄは、更なる機能に利用される屋根構造４６の形態の装置を備えた中央モジュール３０の実施形態を示す。図５ｅは、更なる機能に利用される電子画面１４の形態の装置を備えた中央モジュール３０の実施形態を示す。図５ａ、図５ｃ及び図５ｅに示される更なる機能に利用される装置は、実質的に中央モジュール３０の中に収納され、従って中央モジュール３０の外面の内側に収納される。使用時に操作する必要があるか又は目に見えている必要がある装置の部分は、中央モジュール３０の外面に配置される。
【００７１】
図６ａ〜図６ｈは、アンテナマストの上部モジュール８の実施形態を示す。図６ａ〜図６ｈに示される上部モジュール８は、無線通信システムのアンテナ装置を支持する。図６ａ〜図６ｄ及び図６ｆ〜図６ｈはいずれも、更なる機能、すなわち関連するアンテナマストのアンテナ装置を支持する機能以外の機能に利用される少なくとも１つの装置を備える。図６ａは、更なる機能に利用される公共バスサービスを表す標識１２の形態の装置を備えた上部モジュール８を示す。図６ｂは、更なる機能に利用される時計３２の形態の装置を備えた上部モジュール８を示す。図６ｃは、更なる機能に利用される駐車標識１２の形態の装置を備えた上部モジュール８を示す。図６ｄは、更なる機能に利用される街灯などの照明装置４５の形態の装置を備えた上部モジュール８を示す。図６ｅは、更なる機能に利用される装置を含まない上部モジュール８を示す。電波を透過するシェル６２の内側に、無線通信システムのアンテナ装置が配置される。図６ｆは、更なる機能に利用される屋根構造４６の形態の装置を備えた上部モジュール８を示す。電波を透過するシェル６２の内側に、無線通信システムのアンテナ装置が配置される。図６ｇは、更なる機能に利用される信号機５０の形態の装置を備えた上部モジュール８を示す。図６ｈは、更なる機能に利用される電子画面１４の形態の装置を備えた上部モジュール８を示す。
【００７２】
アンテナ装置は、図６ａ〜図６ｈに示される各上部モジュール８の中に配置される。上部モジュール８の外面の少なくとも一部分は電波を透過する。無線通信システムの他の部品も、図６ａ〜図６ｈに示される上部モジュール８のいずれかの部分に配置されてもよい。図６ｂ、図６ｄ、図６ｇ及び図６ｈに示される更なる機能に利用される装置は、実質的に上部モジュール８の中に収納され、従って上部モジュール８の外面の内側に収納される。使用時に操作する必要があるか又は目に見えている必要がある装置の部分は、上部モジュール８の外面に配置される。
【００７３】
図４ａ〜図４ｉの下部モジュール６のうち少なくとも１つの下部モジュールと、図５ａ〜図５ｅの中央モジュール３０のうち少なくとも１つの中央モジュールと、図６ａ〜図６ｈの上部モジュール８のうち少なくとも１つの上部モジュールとは、図４ａ〜図４ｉの下部モジュール６、図５ａ〜図５ｅの中央モジュール３０又は図６ａ〜図６ｈの上部モジュール８のうち少なくとも１つの別のモジュールと共にモジュールセットを形成する。従って、モジュールセットは、少なくとも２つの異なる下部モジュール６及び／又は少なくとも２つの異なる中央モジュール３０及び／又は少なくとも２つの異なる上部モジュール８を含む。モジュールセットは、図４ａ〜図４ｉ、図５ａ〜図５ｅ及び図６ａ〜図６ｈに示されるモジュールのすべて又はそのうちある特定の数のモジュールを含んでもよい。アンテナマストシステムはモジュールセットを備えてもよい。従って、モジュールセットから、それぞれ異なる構成のマスト本体４を組み立ててもよい。アンテナマスト２を提供する方法は、モジュールセットから１つの下部モジュール６、１つの中央モジュール３０及び１つの上部モジュール８を選択することと、組み立てられたマスト本体を形成するために、選択された下部モジュール６、選択された中央モジュール３０及び選択された上部モジュール８を含むマスト本体４を組み立てることとを備えてもよい。モジュールセットが更なる機能に利用されるベンチ３４の形態の装置を備えた下部モジュール６を含む場合、組み立て後のマスト本体は、図３に示されるマスト本体４のように見える。
【００７４】
図７は、無線通信システムのアンテナマストを提供する方法の実施形態を示すフローチャートである。アンテナマスト２は、図１〜図３に示される種類のアンテナマストでもよく、図４ａ〜図４ｉ、図５ａ〜図５ｅ及び図６ａ〜図６ｈに示されるようなモジュール６、８、３０を備えてもよい。アンテナマストは、無線通信システムのアンテナ装置を支持する支持構造を形成するように構成されたマスト本体を備える。マスト本体は下部モジュール及び上部モジュールを備える。下部モジュール及び上部モジュールのうち少なくとも一方のモジュールは、アンテナ装置を支持する機能以外の更なる機能に利用される装置を備えるように構成される。方法は、
少なくとも２つの異なる下部モジュール及び／又は少なくとも２つの異なる上部モジュールを含むモジュールセットから１つの下部モジュール及び１つの上部モジュールを選択する工程（７０）と、
組み立てられたマスト本体を形成するために、選択された下部モジュール及び選択された上部モジュールを含むマスト本体を組み立てる工程（７２）とを備える。更なる機能は、無線通信システムに直接関連する機能以外の機能でもよい。
【００７５】
組み立てることは、
組み立てられたマスト本体で下部モジュールを実質的に上部モジュールの下方に配置する工程（７４）を含んでもよい。
【００７６】
方法は、
組み立てられたマスト本体の外面の少なくとも一部を形成するために、モジュールセットの下部モジュール及び上部モジュールを製造する工程（７６）を備えてもよい。
【００７７】
方法は、
組み立てられたマスト本体の上部モジュール及び上部モジュールに配置される装置の重量を少なくとも支えるように構成された支持構造を形成するために下部モジュールを製造する工程（７８）を備えてもよい。
【００７８】
方法は、
更なる機能に利用される装置を実質的に組み立てられたマスト本体の外面の内側に配置する工程（８０）を備えてもよい。
【００７９】
方法は、
３〜８ｍの高さを有するアンテナマストを提供する工程（８２）を備えてもよい。
【００８０】
方法は、
モジュールセットから選択されたモジュールに応じて、更なる機能に利用される特定の装置を組み立てられたマスト本体に配置する工程（８４）を備えてもよい。
【００８１】
方法は、
少なくとも無線通信システムの送信機及び／又は受信機と、プロセッサとを選択された下部モジュール及び／又は選択された上部モジュールの内部に配置する工程（８６）を備えてもよい。
【００８２】
方法は、
更なる機能に利用される装置を、組み立てられたマスト本体の下部モジュールに接続して設ける工程（８８）を備えてもよい。
【００８３】
方法は、
ベンチ、屋根構造、ゴミ箱、自動販売機、電子画面、駐車メータ、信号機、照明装置、カード読み取り装置、電源ソケット又は除細動器などの人命救助装置より成る群から更なる機能に利用される装置を選択する工程（９０）を備えてもよい。
【００８４】
方法は、
更なる機能を実行するために利用される装置を、アンテナ装置の傍に、組み立てられたマスト本体の上部モジュールに接続して設ける工程（９２）を備えてもよい。
【００８５】
方法は、
標識、照明装置、時計、屋根構造、信号機又は電子画面より成る群から更なる機能に利用される装置を選択する工程（９４）を備えてもよい。
【００８６】
モジュールセットが少なくとも２つの異なる中央モジュールを含む場合、方法は、
モジュールセットから１つの中央モジュールを選択する工程（９６）
を備えてもよく、組み立てる工程（７２）は、
組み立てられたマスト本体を形成するために、選択された中央モジュールを含むマスト本体を組み立てる工程（９８）
を含む。アンテナマスト本体を組み立てる工程（９８）は、
中央モジュールを実質的に下部モジュールと上部モジュールとの間に配置する工程（１００）を含んでもよい。方法は、
更なる機能に利用される装置を中央モジュールに接続して設ける工程（１０２）を備えてもよい。方法は、
信号機、電子画面、屋根構造又は照明装置より成る群から中央モジュールの更なる機能に利用される装置を選択する工程（１０４）
を備えてもよい。方法は、
中央モジュール、上部モジュール並びに中央モジュール及び上部モジュールに配置される装置の重量を支えるように構成された支持構造を形成するために、モジュールセットの下部モジュールを製造する工程（１０６）
を備えてもよい。
【００８７】
以上説明した例示的な実施形態は、当業者に理解されるように組み合わされてもよい。また、図７に示される方法のステップが図７に示される順序とは異なる順序で実行されてもよいことが理解される。アンテナマストは４つ以上のモジュールを備えてもよい。１つ以上の別のモジュールは、アンテナマストのマスト本体の上部モジュールの上に配置される。マスト本体の種々のモジュールは、再び分解可能であるように又はそのような方法を使用して組み立てられるか、あるいは機械的損傷によってモジュールが分離した場合を除いて種々のモジュールのうち１つ以上のモジュールが互いに永久的に装着されているように又はそのような方法を使用して組み立てられてもよい。下部モジュールの中央モジュール又は上部モジュールへの取り付け及び中央モジュールの上部モジュールへの取り付けを容易にするために、モジュールは、フランジ又はスリーブなどの連結要素を備えてもよい。アンテナマストの外側からアンテナが見えるように、１つ以上のアンテナが配置されてもよい。更なる機能に利用される別の装置は、例えば監視カメラを備えた監視装置であってもよい。アンテナマストは３〜８ｍの高さを有してもよい。アンテナマストは、それを超える１５ｍまでなどの高さを有してもよい。
【００８８】
従って、以上の説明は種々の実施形態を例によって示すこと及び開示された実施形態の変形、開示された実施形態の特徴の組み合わせ並びに他の実施形態も添付の特許請求の範囲の範囲内に含まれることが意図されることを理解すべきである。
【００８９】
本明細書において使用される用語「備える」は制限なく用いられており、そこに挙げられている１つ以上の特徴、要素、ステップ、構成要素又は機能を含むが、１つ以上の他の特徴、要素、ステップ、構成要素、機能又はそれらの集合の存在を除外しない。
【００９０】
本明細書において使用される用語「及び／又は」は、そこに挙げられている関連項目のうち１つ以上の項目のあらゆる組み合わせを含む。
【００９１】
本明細書において使用される用語「例えば」は、先に挙げた項目の１つ以上の一般的な例を紹介又は指定するために使用されてもよく、その項目を限定することを意図しない。本明細書において使用される用語「すなわち」は、より一般的な記述から特定の１つの項目を指定するために使用されてもよい。
【００９２】
本明細書において使用される用語は、特定の実施形態を説明することを目的とするにすぎず、限定することを意図しない。本明細書において使用される単数形は、文脈上、特に指示のない限り、複数形も含むことが意図される。
【００９３】
特に他の定義が示されない限り、本明細書において使用されるすべての用語（技術科学用語を含む）は、当該技術分野の当業者が一般に理解しているのと同一の意味を有する。一般に使用されている辞書で定義されるような用語は、関連技術に関する意味と一致する意味を有すると解釈されるべきであり、特に明示的な指示のない限り、理想化された意味又は過度に形式的な意味で解釈されないことも更に理解されるだろう。
【００９４】
１つの要素が別の要素に「結合される」又は「接続される」と説明される場合、その要素は他方の要素に直接結合又は接続可能であるか、あるいはそれらの要素の間に介在する要素が存在してもよい。これに対し、１つの要素が別の要素に「直接結合される」又は「直接接続される」と説明される場合、介在する要素はまったく存在しない。
【図１】
0005833676.tif 000002
【図２】
0005833676.tif 000003
【図３】
0005833676.tif 000004
【図４】
0005833676.tif 000005
【図５ａ】
0005833676.tif 000006
【図５ｂ】
0005833676.tif 000007
【図５ｃ】
0005833676.tif 000008
【図５ｄ】
0005833676.tif 000009
【図５ｅ】
0005833676.tif 000010
【図６】
0005833676.tif 000011
【図７】
0005833676.tif 000012